(57)【要約】【課題】ペットや故人の遺骨を室内に置いて毎日お参りをしてペットや故人を偲ぶことができ、樹木葬でいずれは土に返す。【解決手段】火葬後の骨灰７を埋葬するとともに観葉樹８を植樹する土９を収容する埋葬植樹部２と、この埋葬植樹部２の前面２ａを覆う観音扉３を設ける。埋葬植樹部２の天板２ｂには、観葉樹８のための穴部１９を形成し、土９を盛る板状体６の下方には、土９に撒布する水受け用の水受けトレイ１２を埋葬植樹部２に対して取り出し可能に設ける。土９には、骨分解促進剤１０および肥料１１を混入する。前記前面２ａには、ドライフラワー１２の装飾部を備えるとともに埋葬する骨灰７の愛玩動物または故人の写真または位牌１５を備える。【選択図】図２
2006068235.tif 000002
【特許請求の範囲】
【請求項１】
火葬後の遺骨を粉末にした骨灰を埋葬するとともに植樹用の土を収容する天板を開口しかつ前面を凹状に形成した箱状の収容部と、
前記収容部の下部に固設した前記土を載置するための略中央部に穴を設けた板状体と、
前記板状体の下方に前記収容部からスライドさせて出入可能な水受け部と、
前記収容部の前記前面に設けた装飾部および前記骨灰の愛玩動物または故人に関する表示部と、
前記収容部の前面に開閉可能に設けた観音扉と、
からなることを特徴とする樹木葬用仏壇及び位牌。
【請求項２】
前記植樹は、観葉樹であることを特徴とする請求項１記載の樹木葬用仏壇及び位牌。
【請求項３】
前記土は、肥料および骨分解促進剤を混入したことを特徴とする請求項１記載の樹木葬用仏壇及び位牌。
【請求項４】
前記装飾部は、ドライフラワーであることを特徴とする請求項１記載の樹木葬用仏壇及び位牌。
【請求項５】
前記表示部は、前記愛玩動物または故人の写真または位牌からなることを特徴とする請求項１記載の樹木葬用仏壇及び位牌。
【発明の詳細な説明】
【技術分野】
【０００１】
本発明は、火葬した愛玩動物や故人の遺骨（骨灰）を埋葬可能な樹木葬用仏壇及び位牌に関する。
【背景技術】
【０００２】
通常、亡くなった愛玩動物（ペット）や遺体を火葬した後の遺骨は、骨壺等に入れて墓の納骨室や納骨堂に納め、ペットや故人を偲んでお参りするのが一般であるが、火葬に付された遺骨の一部を木製等の収納箱に収めて、部屋に安置する場合もある。また、火葬したペットや故人の遺骨を粉末にし、コンクリートセメント、石膏等に混合して仏像人形等に成型加工して硬化している場合（例えば、特許文献１参照。）や、ガラス原料と混合し加熱溶融して所定のガラス製品に成型される場合（例えば、特許文献２参照。）がある。
【０００３】
【特許文献１】特開平９−３００８９６号公報
【特許文献２】特開２０００−７９７９８号公報
【発明の開示】
【発明が解決しようとする課題】
【０００４】
しかし、ペットや故人の遺骨を納骨室や納骨堂に納めた場合、ペットや故人を偲んでお参りをしたくても毎日できないばかりか、わざわざその場所に出向かなければならない不便さがあった。また、木製等の収納箱は、ペットや故人の遺骨をそのまま収納するものであり、屋内用装飾品としてはそぐわない問題があった。さらに、ペットや故人の骨灰をコンクリートセメントやガラス原料と混合して成型した場合、お骨を土、すなわち自然に返すという思いがかなえられない問題があった。
【０００５】
そこで、本発明は、上記問題点に鑑みてなされたもので、ペットや故人の遺骨を室内に置いて毎日お参りをしてペットや故人を偲ぶことができ、樹木葬でいずれは土に返すことができるという樹木葬用仏壇及び位牌を提供することを目的とする。
【課題を解決するための手段】
【０００６】
前記目的を達成するために、本発明の請求項１の樹木葬用仏壇及び位牌は、火葬後の遺骨を粉末にした骨灰を埋葬するとともに植樹用の土を収容する天板を開口しかつ前面を凹状に形成した箱状の収容部と、前記収容部の下部に固設した前記土を載置するための略中央部に穴を設けた板状体と、前記板状体の下方に前記収容部からスライドさせて出入可能な水受け部と、前記収容部の前記前面に設けた装飾部および前記骨灰の愛玩動物または故人に関する表示部と、前記収容部の前面に開閉可能に設けた観音扉と、からなることを特徴とする。
【０００７】
本発明の請求項２の樹木葬用仏壇及び位牌は、請求項１において、前記植樹は、観葉樹であることを特徴とする。
【０００８】
本発明の請求項３の樹木葬用仏壇及び位牌は、請求項１において、前記土は、肥料および骨分解促進剤を混入したことを特徴とする。
【０００９】
本発明の請求項４の樹木葬用仏壇及び位牌は、請求項１において、前記装飾部は、ドライフラワーであることを特徴とする。
【００１０】
本発明の請求項５の位牌樹木葬用仏壇及び位牌は、請求項１において、前記表示部は、前記愛玩動物または故人の写真または位牌からなることを特徴とする。
【発明の効果】
【００１１】
本発明の請求項１によれば、ペットや故人の遺骨を身近に置いて毎日お参りをして偲ぶことができる。また、植樹により樹木葬を行うことができるとともに、お骨を土に返すという思いをかなえることができる。さらに、植樹した樹木用の水を必要以上に与えても余分な水を板状体の穴から水受け部に受けることで、根腐れを起こさせることがないとともに、水受け部を収容部から出して簡単に水を処理することができる。
【００１２】
本発明の請求項２によれば、葉が季節を問わず枯れることがないという利点を有する。
【００１３】
本発明の請求項３によれば、植樹した植物を健全に育て、また埋葬した骨灰を約２年程度で土に返すことができる。
【００１４】
本発明の請求項４によれば、生花を備えた場合に生じる花びらが枯れ落ちるという不具合をなくし、常時一定の状態を保つことができる。
【００１５】
本発明の請求項５によれば、埋葬した愛玩動物や故人を偲んでお参りすることができる。
【発明を実施するための最良の形態】
【００１６】
室内に亡くなった愛玩動物や故人の遺骨を安置して毎日お参りでき、樹木葬でお骨を土に返すという目的を、土を収容する収容部を設け、収容した土に骨灰を埋葬し植樹するという構成により実現した。  
【実施例１】
【００１７】
本発明の実施例１を図１〜図３に基づいて説明する。図１〜３は本実施例の樹木葬仏壇及び位牌を示し、図１は扉を閉じた状態の斜視図、図２は図１のＡ−Ａ線拡大断面図、図３は扉を開いた状態の斜視図である。
【００１８】
図において、本実施例の樹木葬用仏壇及び位牌１は、木材により作製され、ペットや故人の骨灰を埋葬し植樹する収容部としての埋葬植樹部２と、この埋葬植樹部２の前面２ａに開閉可能に配置した観音扉３とからなっている。この樹木葬用仏壇及び位牌１は、観音扉３を閉じた状態で略正方体形状の箱体となっており、本実施例では、幅Ｗ、高さＨおよび奥行きＢの外形寸法をそれぞれ約１５ｃｍとしている。なお、樹木葬用仏壇及び位牌１の素材は、木材に限られず、板材に大理石張りとしたものやステンレスであってもよい。
【００１９】
埋葬植樹部２の内部は、その下部が略中央部に穴５を形成した板状体６により仕切られ、この板状体６上には骨灰７を埋葬し観葉樹８を植樹するための土９が盛られるようになっており、今般行われている樹木葬を室内で行うことができる。また、土９には、埋葬する骨灰７の骨分解促進剤１０や植樹した観葉樹８の肥料１１が混入されており、骨灰７を約２年程度で分解して土に返すことができ、その後、この土９を戸外の適宜場所、例えば、墓所や森林等の自然に返すことができる。
【００２０】
板状体６の下方には、水受け部としての水受け用トレイ１２がスライド可能に配設れており、前記土に撒かれた余分な水を前記穴５を通して滴り落とさせて受け、適宜に埋葬植樹部２から引き出して捨てることができるようになっている。また、埋葬植樹部２の天板２ｂには、植樹した観葉樹８を埋葬植樹部２より出させる穴部１３が埋葬植樹部２の稜線に沿って四角形に形成されている。
【００２１】
埋葬植樹部２の前面２ａは、埋葬植樹部２の天板２ｂ、左右側板および底板の前端部より後側へ３〜４ｃｍ程度に下げて凹状となっており、埋葬植樹部２の底板上にドライフラワー（プリザーブドフラワー）１４を配置し、その上方に埋骨したペットや故人に関する表示部としての写真または位牌１５を表示できるようになっている。
【００２２】
前記観音扉３は、観音扉に形成されて埋葬植樹部２の前面２ａ側に配置されて埋葬植樹部２の左右板に蝶番１６により取り付けられ、前記埋葬植樹部２の前面２ａにドライフラワー１４や写真または位牌１５を配置した状態で、前記前面２ａを覆えるとともに左右方向に開閉可能となっている。なお、図中１７で示すのは把手である。
【図面の簡単な説明】
【００２３】
【図１】本発明の実施例１の斜視図で、扉を閉じた状態を示している。
【図２】図１のＡ−Ａ線拡大断面図である。
【図３】本発明の実施例１の斜視図で、扉を開いた状態を示している。
【符号の説明】
【００２４】
１  樹木葬用仏壇及び位牌
２  埋葬植樹部
２ａ  前面
２ｂ  天板
３  観音扉
５  穴
６  板状体
７  骨灰
８  観葉樹
９  土
１０  骨分解促進剤
１１  肥料
１２  水受けトレイ
１３  穴部
１４  ドライフラワー
１５  写真または位牌
１６  蝶番
１７  把手
【図１】
2006068235.tif 000003
【図２】
2006068235.tif 000004
【図３】
2006068235.tif 000005